(57)【要約】【課題】紙葉類処理装置において、各紙葉類の方向が揃っている帯封紙幣を、必要に応じて、簡便に払い出し可能にする。【解決手段】紙葉類処理装置１０は、帯封紙葉類を収納する収納部２０１ａ〜２０１ｅと、装置の動作を制御する制御部８１０と、装置の制御に係る設定情報を記憶する記憶部８２０とを備える。制御部８１０は、払い出し処理を行う場合、当該払い出し処理について、方向揃いまたは方向不揃いを示す方向揃い情報を特定し、方向揃いのとき、各紙葉類の方向が揃っている帯封紙葉類を装置外部へ払い出す。【選択図】図４
2019169063.tif 000002
【特許請求の範囲】
【請求項１】
帯封紙葉類を処理する紙葉類処理装置であって、
帯封紙葉類を収納する収納部と、
当該紙葉類処理装置の動作を制御する制御部と、
当該紙葉類処理装置の制御に係る設定情報を記憶する記憶部とを備え、
前記制御部は、帯封紙葉類を払い出す払い出し処理を行う場合において、
各紙葉類の方向が揃っていることを表す方向揃い、または、各紙葉類の方向が揃っていないあるいは揃っているか否か不明であることを表す方向不揃い、のいずれかを示す情報である、方向揃い情報を、当該払い出し処理について特定し、
特定した方向揃い情報が方向揃いを示すとき、各紙葉類の方向が揃っている帯封紙葉類を、当該紙葉類処理装置外部へ払い出す
ことを特徴とする紙葉類処理装置。
【請求項２】
請求項１記載の紙葉類処理装置において、
前記記憶部は、払い出し処理の種類と、方向揃い情報との対応関係を表す払出処理情報を格納しており、
前記制御部は、払い出し処理を行う場合において、前記払出処理情報を参照して、当該払い出し処理について方向揃い情報を特定する
ことを特徴とする紙葉類処理装置。
【請求項３】
請求項１記載の紙葉類処理装置において、
操作入力部を備え、
前記制御部は、払い出し処理を行う場合において、前記操作入力部を介して入力された方向揃い情報を、当該払い出し処理の方向揃い情報として特定する
ことを特徴とする紙葉類処理装置。
【請求項４】
請求項１〜３のうちいずれか１項記載の紙葉類処理装置において、
前記収納部を、複数、備え、
前記記憶部は、前記各収納部について、収納される帯封紙葉類の金種、および、方向揃い情報を設定する収納部情報を格納しており、
前記制御部は、払い出し処理を行う場合において、
当該払い出し処理について、方向揃い情報を特定し、
前記収納部情報を参照して、特定した方向揃い情報と一致する方向揃い情報が設定された前記収納部を特定し、
特定した前記収納部に収納された帯封紙葉類を、当該紙葉類処理装置外部へ払い出す
ことを特徴とする紙葉類処理装置。
【請求項５】
請求項１〜３のうちいずれか１項記載の紙葉類処理装置において、
帯封紙葉類の固有情報を読み取る識別部を備え、
前記記憶部は、前記収納部に収納された各帯封紙葉類について、前記識別部によって読み取られた固有情報、および、方向揃い情報を記録する帯封紙葉類データベースを格納しており、
前記制御部は、払い出し処理を行う場合において、
当該払い出し処理について、方向揃い情報を特定し、
特定した方向揃い情報が方向揃いであるとき、前記帯封紙葉類データベースを参照して、方向揃い情報として方向揃いが記録された帯封紙葉類を、前記収納部から当該紙葉類処理装置外部へ払い出す
ことを特徴とする紙葉類処理装置。
【請求項６】
請求項１〜３のうちいずれか１項記載の紙葉類処理装置において、
バラ紙葉類から、方向揃いの帯封紙葉類を生成する機能を備えており、
前記制御部は、払い出し処理を行う場合において、
当該払い出し処理について、方向揃い情報を特定し、
特定した方向揃い情報が方向不揃いであるときは、前記収納部に収納された帯封紙葉類を払い出す一方、特定した方向揃い情報が方向揃いであるときは、バラ紙葉類から、方向揃いの帯封紙葉類を生成して、当該紙葉類処理装置外部へ払い出す
ことを特徴とする紙葉類処理装置。
【発明の詳細な説明】
【技術分野】
【０００１】
ここに開示する技術は、帯封紙幣等の帯封紙葉類を処理する紙葉類処理装置に関する。
【背景技術】
【０００２】
特許文献１には、帯封紙幣を払い出す紙幣処理装置の例が開示されている。この紙幣処理装置では、表裏が揃えられた帯封紙幣を払い出すことができる。具体的には、帯封紙幣の出金パターンとして、（ａ）バラ紙幣を、表裏を揃えた後に集積し、帯封して払い出す、（ｂ）バラ紙幣を、表裏を揃えた後に集積し、帯封して帯封収納部に収納し、出金要求時に帯封収納部から繰り出して払い出す、を有する。パターン（ａ）では処理時間が長くなるので、パターン（ｂ）を用いることが多い。
【先行技術文献】
【特許文献】
【０００３】
【特許文献１】特開２０１６−１７７５１５号公報
【発明の概要】
【発明が解決しようとする課題】
【０００４】
ところが、従来の装置では、装置外で生成された帯封紙幣を手作業または束のまま装填によって収納部に装填する場合がある。この場合、装填した帯封紙幣は、紙幣の方向が揃っているとは限らない。このため、紙幣の方向が揃った帯封紙幣を顧客が希望する場合、払い出された帯封紙幣内の紙幣の方向を確認し、不揃いであれば、バラして並べ直した上で再び、帯封する必要がある。これは、係員にとって面倒な作業になるため、好ましくない。
【０００５】
また、装置内で生成された、紙幣の方向が揃った帯封紙幣が、収納部内に混在している場合であっても、装置から払い出した全ての帯封紙幣について、紙幣の方向が揃っていることを保証できないため、上と同様の処理が必要になる。
【０００６】
ここに開示する技術は、かかる点に鑑みてなされたものであり、その目的とするところは、紙葉類処理装置において、各紙葉類の方向が揃っている帯封紙葉類を、必要に応じて、簡便に払出可能にすることにある。
【課題を解決するための手段】
【０００７】
ここに開示する技術は、帯封紙葉類を処理する紙葉類処理装置であって、帯封紙葉類を収納する収納部と、当該紙葉類処理装置の動作を制御する制御部と、当該紙葉類処理装置の制御に係る設定情報を記憶する記憶部とを備え、前記制御部は、帯封紙葉類を払い出す払い出し処理を行う場合において、各紙葉類の方向が揃っていることを表す方向揃い、または、各紙葉類の方向が揃っていないあるいは揃っているか否か不明であることを表す方向不揃い、のいずれかを示す情報である、方向揃い情報を、当該払い出し処理について特定し、特定した方向揃い情報が方向揃いを示すとき、各紙葉類の方向が揃っている帯封紙葉類を、当該紙葉類処理装置外部へ払い出す、ものである。
【０００８】
この構成によると、帯封紙葉類を払い出す払い出し処理において、当該払い出し処理について、方向揃いまたは方向不揃いを示す方向揃い情報が特定される。そして、特定した方向揃い情報が方向揃いを示すとき、紙葉類処理装置は、各紙葉類の方向が揃っている帯封紙葉類を外部に払い出す。これにより、必要に応じて、簡便に、各紙葉類の方向が揃っている帯封紙葉類を払い出すことが可能になる。
【０００９】
また、上の紙葉類処理装置において、前記記憶部は、払い出し処理の種類と、方向揃い情報との対応関係を表す払出処理情報を格納しており、前記制御部は、払い出し処理を行う場合において、前記払出処理情報を参照して、当該払い出し処理について方向揃い情報を特定する、としてもよい。
【００１０】
これにより、払い出し処理を行う場合において、払い出し処理の種類と方向揃い情報との対応関係を表す払出処理情報を参照して、方向揃い情報を特定することができる。
【００１１】
また、上の紙葉類処理装置において、操作入力部を備え、前記制御部は、払い出し処理を行う場合において、前記操作入力部を介して入力された方向揃い情報を、当該払い出し処理の方向揃い情報として特定する、としてもよい。
【００１２】
これにより、払い出し処理を行う場合において、ユーザの操作入力に従って、方向揃い情報を特定することができる。
【００１３】
また、上の紙葉類処理装置において、前記収納部を、複数、備え、前記記憶部は、前記各収納部について、収納される帯封紙葉類の金種、および、方向揃い情報を設定する収納部情報を格納しており、前記制御部は、払い出し処理を行う場合において、当該払い出し処理について、方向揃い情報を特定し、前記収納部情報を参照して、特定した方向揃い情報と一致する方向揃い情報が設定された前記収納部を特定し、特定した前記収納部に収納された帯封紙葉類を、当該紙葉類処理装置外部へ払い出す、としてもよい。
【００１４】
この態様では、各収納部について、収納部情報に、方向揃い情報が設定されている。払い出し処理を行う場合において、収納部情報を参照して、当該払い出し処理と方向揃い情報が一致する収納部が特定され、特定した収納部に収納された帯封紙葉類が、装置外部へ払い出される。したがって、払い出し処理の方向揃い情報が方向揃いを示すとき、紙葉類処理装置は、各紙葉類の方向が揃っている帯封紙葉類を外部に払い出すことができる。
【００１５】
また、上の紙葉類処理装置において、帯封紙葉類の固有情報を読み取る識別部を備え、前記記憶部は、前記収納部に収納された各帯封紙葉類について、前記識別部によって読み取られた固有情報、および、方向揃い情報を記録する帯封紙葉類データベースを格納しており、前記制御部は、払い出し処理を行う場合において、当該払い出し処理について、方向揃い情報を特定し、特定した方向揃い情報が方向揃いであるとき、前記帯封紙葉類データベースを参照して、方向揃い情報として方向揃いが記録された帯封紙葉類を、前記収納部から当該紙葉類処理装置外部へ払い出す、としてもよい。
【００１６】
この態様では、収納部に収納された各帯封紙葉類について、帯封紙葉類データベースに、固有情報および方向揃い情報が記録されている。払い出し処理を行う場合において、当該払い出し情報の方向揃い情報が方向揃いであるとき、帯封紙葉類データベースを参照して、方向揃い情報として方向揃いが記録された帯封紙葉類が、装置外部へ払い出される。したがって、払い出し処理の方向揃い情報が方向揃いを示すとき、紙葉類処理装置は、各紙葉類の方向が揃っている帯封紙葉類を外部に払い出すことができる。
【００１７】
また、上の紙葉類処理装置において、バラ紙葉類から、方向揃いの帯封紙葉類を生成する機能を備えており、前記制御部は、払い出し処理を行う場合において、当該払い出し処理について、方向揃い情報を特定し、特定した方向揃い情報が方向不揃いであるときは、前記収納部に収納された帯封紙葉類を払い出す一方、特定した方向揃い情報が方向揃いであるときは、バラ紙葉類から、方向揃いの帯封紙葉類を生成して、当該紙葉類処理装置外部へ払い出す、としてもよい。
【００１８】
この態様では、払い出し処理を行う場合において、当該払い出し情報の方向揃い情報が方向揃いであるとき、バラ紙葉類から方向揃いの帯封紙葉類を生成して、装置外部へ払い出す。したがって、払い出し処理の方向揃い情報が方向揃いを示すとき、紙葉類処理装置は、各紙葉類の方向が揃っている帯封紙葉類を外部に払い出すことができる。
【発明の効果】
【００１９】
以上説明したように、本開示の紙葉類処理装置によると、必要に応じて、簡便に、各紙葉類の方向が揃っている帯封紙葉類を払い出すことができる。
【図面の簡単な説明】
【００２０】
【図１】実施形態に係る紙幣処理装置を含む貨幣処理システムの一例の外観図
【図２】実施形態に係る紙幣処理装置におけるバラ紙幣処理部の構成を示す概略図
【図３】実施形態に係る紙幣処理装置における束紙幣処理部の構成を示す概略図
【図４】第１実施形態に係る紙幣処理装置の主たる構成を示すブロック図
【図５】収納部テーブルに設定された情報の一例
【図６】収納された帯封紙幣の情報を示す画面の一例
【図７】払出処理テーブルに設定された情報の一例
【図８】第１実施形態における払出処理の動作フローの一例
【図９】第２実施形態における紙幣処理装置の構成の一部を示すブロック図
【図１０】帯封紙幣データベースに格納されたデータの一例
【図１１】第２実施形態における払出処理の動作フローの一例
【発明を実施するための形態】
【００２１】
以下、実施形態を図面に基づいて詳細に説明する。なお、以下の説明は例示である。
【００２２】
（第１実施形態）
図１は貨幣処理システムの一例の外観図である。図１に示す貨幣処理システム１は、バラ紙幣処理部１００及び束紙幣処理部２００からなる紙幣処理装置１０と、バラ硬貨処理部３００及び包装硬貨処理部４００からなる硬貨処理装置２０と、硬貨処理装置２０等による機械受付ができない損貨および記念硬貨を処理する損貨処理装置５００と、紙幣処理装置１０等による機械受付ができない損券や旧券を処理する損券処理装置６００と、現金保管装置７００とを備えている。紙幣処理装置１０は、本開示における紙葉類処理装置の一例である。紙幣処理装置１０及び硬貨処理装置２０の上面には、それぞれ、タッチパネルである操作表示部４０と、プリンター５０とが配置されている。ユーザは、操作表示部４０を介して各装置の操作を行い、操作表示部４０の画面において各種の情報の確認を行い、必要な情報をプリンター５０から出力させる。また、貨幣処理システム１は、例えば銀行にある管理コンピュータと通信可能に構成されていてもよい。この管理コンピュータは、銀行窓口にある窓口端末等の他の装置と接続されている。
【００２３】
バラ紙幣処理部１００は、筐体前面に、入金されるバラ紙幣を受け入れるための入金口１０２を有し、筐体上面に、出金されるバラ紙幣を排出するための出金口１０３を有している。束紙幣処理部２００は、筐体前面上部に、束紙幣を排出するための出金口２０２を有し、筐体前面下部に、束紙幣を機外へ投出するための投出口２０３を有している。
【００２４】
バラ硬貨処理部３００は、筐体上面に、入金されるバラ硬貨を受け入れるための入金口３１０を有し、筐体前面に、出金されるバラ硬貨を排出するための出金口３７０と、リジェクトされたバラ硬貨を投出するための入金リジェクト口３２２と、硬貨袋を取り付けて該硬貨袋内にバラ硬貨を回収できるように形成された袋取シュート部３２４と、入金処理途中に処理がキャンセルされたバラ硬貨を排出するための返却回収箱３２６とを有している。包装硬貨処理部４００は、筐体前面上部に、包装硬貨を排出するための出金口４８０を有し、その下に、大量の包装硬貨を一括回収するための包装硬貨一括箱４６０と包装硬貨を機外へ投出するための投出口４７０とを有している。
【００２５】
損貨処理装置５００は、硬貨を受け入れるための入金口５１０と、受け付けた硬貨を分類して収納するための収納部５４０，５４４と、返却する硬貨を収納するための収納部５４２とを有している。受け付けた硬貨のうち、例えば損貨が収納部５４０（損貨収納部）に収納され、記念貨が収納部５４４（記念貨収納部）に収納される。
【００２６】
損券処理装置６００は、筐体上面前部に、損券や、小切手、手形等の紙葉類を受け入れるための入金口６１０を有し、筐体前面に、損券等の紙葉類を排出するための出金口６８０と、損券等を投入して保管するポスト６７０とを有している。
【００２７】
現金保管装置７００は、装置前面側に引き出し可能な複数のドロア７１１〜７１５を有し、大量の包装硬貨や束紙幣を各ドロア７１１〜７１５に金種別に分類収納して管理する貨幣処理装置である。現金保管装置７００は、各ドロア７１１〜７１５内に収納された貨幣の金種や数量を自動計数して管理する機能を有する。現金保管装置７００は筐体上部に、操作部７１６および表示部７１７を有している。各ドロア７１１〜７１５は通常はロックされており、操作部７１６及び表示部７１７により行う認証処理を経て出金処理内容あるいは入金処理内容を入力した場合に、対応するドロア７１１〜７１５のロックが解除される。
【００２８】
図２は本実施形態に係るバラ紙幣処理部１００の構成を示す概略図である。バラ紙幣処理部１００は、入金部１１０と、入金リジェクト部１２０と、出金部１３０と、出金リジェクト部１４０と、搬送部１５０と、入金識別部１６０と、出金識別部１７０と、第１反転部１８０と、第２反転部１９０と、５つのスタッカ１０１ａ〜１０１ｅと、５つの一時保留部１０５ａ〜１０５ｅと、２つの整理一時保留部１４５と、搬送機構１０７と、を備える。
【００２９】
入金部１１０は、バラ紙幣入金口１０２に繋がり、バラ紙幣入金口１０２を通じて入金部１１０にバラ紙幣が投入される。入金部１１０は、入金繰出機構１１１を備える。入金繰出機構１１１は、入金部１１０に投入されたバラ紙幣を一枚ずつ搬送部１５０へ繰り出す。入金リジェクト部１２０は、主に、入金識別部１６０により属性（真偽、金種、天地表裏等）が識別できず、正常な紙幣と見做されない紙幣を受け取る。入金リジェクト部１２０は、バラ紙幣入金口１０２に繋がり、バラ紙幣入金口１０２を通じて入金リジェクト部１２０からバラ紙幣が取り出される。
【００３０】
出金部１３０は、主に、スタッカ１０１ａ〜１０１ｅから繰り出された紙幣を受け取る。出金部１３０は、バラ紙幣出金口１０３に繋がり、バラ紙幣出金口１０３を通じて出金部１３０からバラ紙幣が取り出される。出金リジェクト部１４０は、主に、出金識別部１７０により属性（真偽、金種、天地表裏等）が識別できず、正常な紙幣と見做されない紙幣を受け取る。
【００３１】
搬送部１５０は、ベルト機構、ローラー機構等により構成され、入金搬送路１５１と、出金搬送路１５２と、入金リジェクト搬送路１５３と、出金リジェクト搬送路１５４と、２つの分岐搬送路１５５と、迂回搬送路１５６と、中継搬送路１５７とを含む。入金搬送路１５１は、入金部１１０とスタッカ１０１ａ〜１０１ｅおよび一時保留部１０５ａ〜１０５ｅとの間に設けられる。出金搬送路１５２は、スタッカ１０１ａ〜１０１ｅと出金部１３０との間に設けられる。入金リジェクト搬送路１５３は、入金搬送路１５１から分岐し、入金リジェクト部１２０に繋がる。出金リジェクト搬送路１５４は、出金搬送路１５２から分岐し、出金リジェクト部１４０に繋がる。分岐搬送路１５５は、出金搬送路１５２から分岐し、整理一時保留部１４５に繋がる。迂回搬送路１５６は、第２反転部１９０の入口よりも前側の位置において出金搬送路１５２から分岐し、第２反転部１９０の出口よりも後側の位置において出金搬送路１５２に合流する。中継搬送路１５７は、入金搬送路１５１の第１反転部１８０の直後の位置と出金搬送路１５２の分岐搬送路１５５への分岐地点の直前の位置とを繋ぐ。
【００３２】
長方形である紙幣は、その短手方向（天地方向）が、搬送方向を向くようにして搬送部１５０に搬送される。本実施形態では、紙幣を入金部１１０からスタッカ１０１ａ〜１０１ｅへ収納する入金時の搬送部１５０による搬送方向も、スタッカ１０１ａ〜１０１ｅから出金部１３０へ投出する出金時の搬送部１５０による搬送方向も同じ方向である。
【００３３】
入金識別部１６０は、入金搬送路１５１において、入金リジェクト搬送路１５３への分岐地点よりも上流側に設けられる。入金識別部１６０は、入金搬送路１５１を流れる紙幣の属性を識別し、識別結果を後述する制御部に出力する。出金識別部１７０は、出金搬送路１５２において、迂回搬送路１５６への入口よりも上流側に設けられる。出金識別部１７０は、出金搬送路１５２を流れる紙幣の属性を識別し、識別結果を後述する制御部に出力する。入金識別部１６０および出金識別部１７０により識別される属性には、紙幣の真偽および金種、紙幣の表裏の他、紙幣の天地の向きが含まれる。
【００３４】
第１反転部１８０は、入金搬送路１５１において、入金リジェクト搬送路１５３への分岐地点よりも下流側に設けられる。第１反転部１８０は、スイッチバック方式により紙幣を表裏反転させる逆Ｖ字状の反転搬送路を含む（スイッチバック機構）。第１反転部１８０を通過した紙幣は、紙幣の短手方向、即ち天地方向に沿って表裏反転し、表裏と天地が入れ替わる。
【００３５】
第２反転部１９０は、出金搬送路１５２において、出金識別部１７０よりも下流側に設けられる。第２反転部１９０は、スパイラル状に形成された反転搬送路１９１を含む（スパイラル機構）。第２反転部１９０を通過した紙幣は、紙幣の長手方向、即ち左右方向に沿って表裏反転し、表裏と左右が入れ替わる。
【００３６】
スタッカ１０１ａ〜１０１ｅは、入金された紙幣を金種別に収納するために利用される。たとえば、５つのスタッカ１０１ａ〜１０１ｅのそれぞれに対し、一万円、千円、５千円等の金種が割り当てられ得る。スタッカ１０１ａ〜１０１ｅ内には、紙幣が上下に積まれるように収納される。スタッカ１０１ａ〜１０１ｅには、その天面に紙幣の入口が形成され、その底面に紙幣の出口が形成される。スタッカ１０１ａ〜１０１ｅには、その底面側に繰出機構（図示せず）が設けられ、スタッカ１０１ａ〜１０１ｅ内の紙幣を出金搬送路１５２に繰り出すことができる。一時保留部１０５ａ〜１０５ｅは、対応するスタッカ１０１ａ〜１０１ｅの上方に配置される。一時保留部１０５ａ〜１０５ｅは、スタッカ１０１ａ〜１０１ｅに収納される紙幣を一時的に保留する。
【００３７】
整理一時保留部１４５は、搬送部１５０により搬送された紙幣を、帯封により結束される結束単位となる所定の枚数、例えば１００枚になるまで集積する。搬送機構１０７は、一対のアーム１０８を備え、結束単位にまとまったバラ紙幣を、一対のアーム１０８で挟んで整理一時保留部１４５内から取り出し、隣接する束紙幣処理部２００の後述する帯封機構まで搬送する。なお、搬送機構１０７は、バラ紙幣処理部１００と束紙幣処理部２００の双方に属し、これら処理部１００，２００の後部に配置される。
【００３８】
図３は本実施形態に係る束紙幣処理部２００の構成を示す概略図である。束紙幣処理部２００は、帯封機構２１０と、第１搬送機構２２０と、昇降機構２３０と、第２搬送機構２４０と、５つのスタッカ２０１ａ〜２０１ｅと、を備える。スタッカ２０１ａ〜２０１ｅは、紙葉類を収納する収納部の一例である。
【００３９】
帯封機構２１０は、搬送機構１０７の前方に設けられ、搬送機構１０７によって搬送されてきたバラ紙幣の束を帯封で結束し、束紙幣（帯封紙幣）を生成する。
【００４０】
第１搬送機構２２０は、帯封機構２１０の前方に設けられる、前後方向に延びる上下一対のベルトユニット２２１を有する。ベルトユニット２２１は、前後に離れて配置された一対のローラー２２２と、一対のローラー２２２に架け渡されたベルト２２３とを含む。第１搬送機構２２０は、一対のベルトユニット２２１の間に束紙幣を挟むようにして、前方の昇降機構２３０へ束紙幣を搬送する。
【００４１】
昇降機構２３０は、束紙幣処理部２００の前面に沿うように上下に延びる昇降スペース２３１と、昇降スペース２３１内を昇降するリフト２３２とを含む。昇降スペース２３１は、その上部において束紙幣入出金口２０２に繋がり、その下部において束紙幣投出口２０３に繋がる。リフト２３２は、束紙幣投出口２０３の位置を待機位置とし、この待機位置と第１搬送機構２２０および束紙幣入出金口２０２がある上限位置との間を昇降する。
【００４２】
リフト２３２は、水平方向に平坦なベース２３２ａと、ベース２３２ａ上に積層された載置板２３２ｂとを備える。載置板２３２ｂは、ベース２３２ａに平行な平行位置と、後側が高くなるようにベース２３２ａに対して傾く傾斜位置との間で回動可能である。束紙幣を載せたリフト２３２が待機位置にあるときに載置板２３２ｂが傾斜位置に回動すると、束紙幣が載置板２３２ｂから滑り落ちて束紙幣投出口２０３から投出される。また、リフト２３２は、第１搬送機構２２０から束紙幣を受け取り、受け取った束紙幣を第２搬送機構２４０まで搬送する。さらに、リフト２３２は、第２搬送機構２４０から束紙幣を受け取り、受け取った束紙幣を束紙幣入出金口２０２や束紙幣投出口２０３の位置まで搬送する。
【００４３】
第２搬送機構２４０は、前後に離れて配置された一対のローラー２４１と、一対のローラー２４１に架け渡されたベルト２４２と、ベルト２４２の下方に配置された前後に延びる束搬送路２４３とを含む。ベルト２４２は、図３における時計回りと反時計回りの双方に周回することができる。ベルト２４２には、複数の突起２４４が等間隔で形成される。ベルト２４２の周回に伴って突起２４４が束搬送路２４３の上方を前後に移動することにより、突起２４４に押されて束搬送路２４３上を束紙幣が移動する。
【００４４】
ベルト２４２の前端部は、昇降スペース２３１内に張り出す。第２搬送機構２４０には、前側のローラー２４１から少し後方に離れた位置に支点ローラー２４５が設けられており、ベルト２４２は、前側のローラー２４１と支点ローラー２４５との間の回動部２４２ａが、支点ローラー２４５を支点として、昇降スペース２３１内に進出する進出位置と昇降スペース２３１内から退避する退避位置との間で回動する。リフト２３２が第１搬送機構２２０側から降下するときには、回動部２４２ａが退避位置に退避するため、リフト２３２の降下が回動部２４２ａに邪魔されない。一方、リフト２３２が束搬送路２４３の高さ位置まで降下して停止すると、回動部２４２ａが進出位置に進出する。これにより、リフト２３２に載せられた束紙幣を束搬送路２４３へ移動させたり、束搬送路２４３を搬送された束紙幣をリフト２３２に載せたりすることが可能となる。
【００４５】
スタッカ２０１ａ〜２０１ｅは、帯封機構２１０により生成された束紙幣を金種別に収納するために利用される。たとえば、５つのスタッカ２０１ａ〜２０１ｅのそれぞれに対し、一万円、千円、５千円等の金種が割り当てられ得る。スタッカ２０１ａ〜２０１ｅ内には、束紙幣が上下に積まれるように収納される。収納された束紙幣を昇降するため、スタッカ２０１ａ〜２０１ｅ内に昇降ステージ２０５が設けられる。
【００４６】
束搬送路２４３には、各スタッカ２０１ａ〜２０１ｅの上方にシャッター２４６により開閉される出入口２４７が設けられる。束搬送路２４３からスタッカ２０１ａ〜２０１ｅへの束紙幣を収納する際や、スタッカ２０１ａ〜２０１ｅから束搬送路２４３へ束紙幣を送り出す際に、シャッター２４６が開放され、出入口２４７が開く。出入口２４７を通じてスタッカ２０１ａ〜２０１ｅに束紙幣が出し入れされる。
【００４７】
図４は本実施形態に係る紙幣処理装置１０の主たる構成を示すブロック図である。紙幣処理装置１０は、上述したバラ紙幣処理部１００および束紙幣処理部２００の他、制御部８１０および記憶部８２０を備えている。
【００４８】
制御部８１０は、ＣＰＵ等の演算回路を備え、記憶部８２０に記憶された動作プログラムに従って、バラ紙幣処理部１００の各構成部（入金繰出機構１１１、搬送部１５０、入金識別部１６０、出金識別部１７０、第１反転部１８０、第２反転部１９０、スタッカ１０１ａ〜１０１ｅ、一時保留部１０５ａ〜１０５ｅ、搬送機構１０７等）および束紙幣処理部２００の各構成部（帯封機構２１０、第１搬送機構２２０、昇降機構２３０、第２搬送機構２４０、スタッカ２０１ａ〜２０１ｅ等）を制御する。記憶部８２０は、ＲＯＭ、ＲＡＭやハードディスク等の記憶媒体を備え、制御部８１０の動作プログラムを記憶する。また、記憶部８２０は、制御部８１０の制御処理の際にワーク領域として利用される。
【００４９】
また、記憶部８２０は、紙幣処理装置１０の制御に係る設定情報を記憶する。本実施形態では、記憶部８０は、収納部テーブル（ＴＢ）８２１と、払出処理テーブル（ＴＢ）８２２とを格納している。収納部情報の一例である収納部ＴＢ８２１は、束紙幣処理部２００の各スタッカ２０１ａ〜２０１ｅについて、収納される束紙幣の金種、および、方向揃い情報を設定する。払出処理情報の一例である払出処理ＴＢ８２２は、払い出し処理の種類と、方向揃い情報との対応関係を表す。
【００５０】
ここで、方向揃い情報とは、帯封紙幣において、各紙幣の方向が揃っていることを表す「方向揃い」、または、帯封紙幣において、各紙幣の方向が揃っていないあるいは揃っているか否か不明であることを表す「方向不揃い」のいずれかを示す情報である。なお、ここでの紙幣の「方向」とは、紙幣の表裏および天地を含む。
【００５１】
また、制御部８１０は、通信部８３０を経由して他の装置（操作表示部４０等）と通信し、各種情報を受け渡すことが可能となっている。これにより、制御部８１０は、例えば、操作表示部４０に入力された指示情報を受け付けることができる。
【００５２】
制御部８１０は、第１反転部１８０を通過させるか否か、第２反転部１９０を通過させるか否かを制御することによって、紙幣の方向を揃えることができる。したがって、バラ紙幣処理部１００は、第１および第２反転部１８０，１９０の制御によって、紙幣の方向がそろった帯封紙幣を生成することができる。
【００５３】
図５は収納部ＴＢ８２１に設定された情報の一例である。図５において、帯封紙幣収納部の列における収納部１〜５は、それぞれ、束紙幣処理部２００におけるスタッカ２０１ａ〜２０１ｅに対応している。図５の情報は、例えば、収納部１（スタッカ２０１ａ）は、１万円札の帯封紙幣であって、「方向揃い」すなわち各紙幣の方向が揃っている帯封紙幣を収納することを表している。また、収納部４（スタッカ２０１ｄ）は、千円札の帯封紙幣であって、「方向不揃い」すなわち各紙幣の方向がそろっていないあるいは揃っているか否か不明である帯封紙幣を収納することを表している。
【００５４】
図６は操作表示部４０に表示される画面の一例であって、束紙幣処理部２００におけるスタッカ２０１ａ〜２０１ｅに収納された束紙幣の情報（金種、方向揃い情報、収納束数、等）を示す画面である。図６に示すように、記憶部８２０が収納部ＴＢ８２１を格納しているため、各スタッカ２０１ａ〜２０１ｅについて、収納される束紙幣の金種と方向揃い情報を表示することができる。また、収納部ＴＢ８２１の情報は、例えば操作表示部４０を介して、ユーザが設定することが可能である。
【００５５】
図７は払出処理ＴＢ８２２に設定された情報の一例である。ここでは、払い出し処理の種類には、「出金処理」「回金出金処理」「回収処理」「現送処理」「支払準備」の５種類があるものとしている。「出金処理」「支払準備」は、客にお金（ここでは帯封紙幣）を渡すための払出処理である。このため、「出金処理」「支払準備」については、紙幣の方向が揃っている帯封紙幣を優先して払い出すので、方向揃い情報として「方向揃い」が設定されている。一方、「回金出金処理」「回収処理」「現送処理」は、金融機関内でお金を回す際の処理である。このため、「回金出金処理」「回収処理」「現送処理」については、方向揃い情報として「方向不揃い」が設定されている。
【００５６】
さらに、払出処理ＴＢ８２２では、方向揃い情報として設定された帯封紙幣が不足している場合の対応についても、設定されている。ここでは、「出金処理」「支払準備」については、「方向揃い」帯封紙幣が不足しているとき、都度巻き、すなわち、バラ紙幣処理部１００において、バラ紙幣から、紙幣の方向が揃った帯封紙幣を新たに生成する処理を行う。一方、「回金出金処理」「回収処理」「現送処理」については、「方向不揃い」帯封紙幣が不足しているとき、「方向揃い」の収納部から、帯封紙幣を払い出すものとする。
【００５７】
＜動作例＞
−帯封紙幣の補充処理−
紙幣処理装置１０において、バラ紙幣から生成される帯封紙幣は、第１反転部１８０および第２反転部１９０の制御によって、方向（表裏および天地）が揃えられる。このため、バラ紙幣処理部１００において生成された１万円の帯封紙幣は、「方向揃い」と設定されたスタッカ２０１ａ（収納部１）に優先的に収納される。スタッカ２０１ａが満杯のときは、スタッカ２０１ｂ（収納部２）に収納される。同様に、バラ紙幣処理部１００において生成された千円の帯封紙幣は、「方向揃い」と設定されたスタッカ２０１ｃ（収納部３）に優先的に収納される。スタッカ２０１ｃが満杯のときは、スタッカ２０１ｄ（収納部４）に収納される。５千円の帯封紙幣は、スタッカ２０１ｅ（収納部５）に収納される。また、生成される帯封紙幣の帯に情報を印字する印字部を設け、紙幣の方向が揃っている旨を示す文字あるいは記号を帯に印字するようにしてもよい。このようにすれば、外部へ払い出された後であっても、当該帯封紙幣が「方向揃い」であることを操作者が簡単に目視確認できる。
【００５８】
一方、装置外で生成された帯封紙幣を束紙幣処理部２００に装填した場合は、「方向不揃い」と設定されたスタッカ２０１ｂ（収納部２）、スタッカ２０１ｄ（収納部４）、スタッカ２０１ｅ（収納部５）のみへ装填可能とする。また、装置外で生成された帯封紙幣を、手作業でスタッカに直接装填する場合は、「方向揃い」と設定されたスタッカ２０１ａ（収納部１）およびスタッカ２０１ｃ（収納部３）はアクセス不可とし、「方向不揃い」と設定されたスタッカ２０１ｂ（収納部２）、スタッカ２０１ｄ（収納部４）、スタッカ２０１ｅ（収納部５）のみ、アクセス可能とする。例えば、アクセス不可のスタッカに対してアクセスされたとき、警報が出力されるようにすればよい。
【００５９】
−払出処理−
図８は払出処理における動作フローの一例である。ユーザは、例えば操作表示部４０を操作して出納処理を開始し（Ｓ１１）、処理メニューを選択する（Ｓ１２）。ここでは、払出処理についてのみ説明するが、他の処理（入金処理等）が選択された場合は（Ｓ１３でＮｏ）、その処理が実行される。払出処理が選択されると（Ｓ１３でＹｅｓ）、伝票を入力して（Ｓ１４）、操作画面の「完了」ボタンを押下する（Ｓ１５）。制御部８１０は、伝票から、払出処理の種類、払い出す金額、金種、束数等を認識する。そして制御部８１０は、図７に示すような払出処理ＴＢ８２２を参照して、当該払出処理の種類から、方向揃い情報を特定する（Ｓ１６）。
【００６０】
特定した方向揃い情報が「方向揃い」のときは、制御部８１０は、図５に示すような収納部ＴＢ８２１を参照して、「方向揃い」が設定された収納部、ここでは収納部１，３（スタッカ２０１ａ，２０１ｃ）の在高をチェックする（Ｓ１７）。そして、払い出す束数の在高があるときは（Ｓ１８でＮｏ）、収納部１，３から帯封紙幣を払い出して（Ｓ１Ａ）、処理を終了する。一方、在高が不足しているときは（Ｓ１８でＹｅｓ）、不足する帯封紙幣を新たに生成して（Ｓ１９）、払出処理を行う（Ｓ１Ａ）。
【００６１】
一方、特定した方向揃い情報が「方向不揃い」のときは、制御部８１０は、図５に示すような収納部ＴＢ８２１を参照して、「方向不揃い」が設定された収納部、ここでは収納部２，４，５（スタッカ２０１ｂ，２０１ｄ，２０１ｅ）の在高をチェックする（Ｓ１Ｂ）。そして、払い出す束数の在高があるときは（Ｓ１ＣでＮｏ）、収納部２，４，５から帯封紙幣を払い出して（Ｓ１Ａ）、処理を終了する。一方、在高が不足しているときは（Ｓ１ＣでＹｅｓ）、「方向揃い」が設定された収納部１，３（スタッカ２０１ａ，２０１ｃ）の在高をチェックする（Ｓ１７）。そして、払い出す束数の在高があるときは（Ｓ１８でＮｏ）、収納部１，３から帯封紙幣を払い出して（Ｓ１Ａ）、処理を終了する。一方、まだ在高が不足しているときは（Ｓ１８でＹｅｓ）、不足する帯封紙幣を新たに生成して（Ｓ１９）、払出処理を行う（Ｓ１Ａ）。
【００６２】
以上のように本実施形態によると、帯封紙幣を収納する各スタッカ２０１ａ〜２０１ｅについて、収納部ＴＢ８２１に、方向揃い情報が設定されている。払い出し処理を行う場合において、収納部ＴＢ８２１を参照して、当該払い出し処理と方向揃い情報が一致するスタッカが特定され、特定したスタッカに収納された帯封紙幣が、装置外部へ払い出される。したがって、払い出し処理の方向揃い情報が方向揃いを示すとき、紙幣処理装置１０は、各紙幣の方向が揃っている帯封紙幣を外部に払い出すことができる。
【００６３】
なお、都度巻きを実行する場合、特に、多くの帯封紙幣を都度巻きで生成する場合には、処理に時間がかかる旨を報知するようにしてもよい。
【００６４】
また、「方向揃い」の帯封紙幣が不足している場合において、都度巻きを行わないで、「方向不揃い」が設定されたスタッカから帯封紙幣を払い出すようにしてもよい。この場合は、払い出しの前に、操作者による確認操作を必要とするようにしてもよい。
【００６５】
また、自動収集処理では、帯封紙幣が不足したり、バラ紙幣が過剰になったりしたとき、帯封紙幣の生成を自動的に実行する。この場合、従来では、帯封紙幣の在高を金種毎に監視していたが、本実施形態では、金種毎に加えて、「方向揃い」「方向不揃い」別に、帯封紙幣の在高を監視するのが好ましい。
【００６６】
（第２実施形態）
第２実施形態では、図３に示す束紙幣処理部２００において、束搬送路２４３に、帯封紙幣識別部９０１が設けられているものとする。帯封紙幣識別部９０１は、少なくとも、束搬送路２４３を搬送される帯封紙幣の最上位の紙幣の記番号を読み取る。帯封紙幣識別部９０１は、帯封紙葉類の固有情報を読み取る識別部の一例である。
【００６７】
また本実施形態では、図９に示すように、記憶部８２０は、第１実施形態で説明した収納部ＴＢ８２１と、帯封紙幣データベース（ＤＢ）９０２とを格納している。そして、各スタッカ２０１ａ〜２０１ｅについて方向揃い情報は設定されておらず、帯封紙幣は、「方向揃い」と「方向不揃い」の区別なく、金種毎に、各スタッカ２０１ａ〜２０１ｅに収納されるものとする。
【００６８】
図１０は本実施形態における帯封紙幣データベース（ＤＢ）９０２に格納されたデータの一例である。帯封紙幣ＤＢ９０２は、各スタッカ２０１ａ〜２０１ｅに収納された各帯封紙幣について、帯封紙幣識別部９０１によって読み取られた最上位紙幣の記番号、および、方向揃い情報が記録されている。図１０では、例えば、最上位紙幣の記番号が「ＡＡＡＡＡＡ」の１万円札の帯封紙幣は、方向揃い情報が「方向揃い」すなわち各紙幣の方向が揃っていることを表している。
【００６９】
＜動作例＞
−帯封紙幣の補充処理−
紙幣処理装置１０において、バラ紙幣から生成される帯封紙幣は、第１反転部１８０および第２反転部１９０の制御によって、方向（表裏および天地）が揃えられる。このため、バラ紙幣処理部１００において生成された１万円の帯封紙幣については、１万円帯封紙幣用のスタッカ（例えばスタッカ２０１ａ，２０１ｂ）に収納される。このとき、帯封紙幣識別部９０１によって、最上位紙幣の記番号が読み取られる。制御部８１０は、帯封紙幣識別部９０１によって読み取られた最上位紙幣の記番号とともに、方向揃い情報として「方向揃い」を帯封紙幣ＤＢ９０２に格納する。
【００７０】
一方、装置外で生成された帯封紙幣を束紙幣処理部２００に装填した場合は、帯封紙幣識別部９０１によって、最上位紙幣の記番号が読み取られる。制御部８１０は、帯封紙幣識別部９０１によって読み取られた最上位紙幣の記番号とともに、方向揃い情報として「方向不揃い」を帯封紙幣ＤＢ９０２に格納する。なお、帯封紙幣識別部９０１によって最上位紙幣の記番号が読み取れなかった帯封紙幣（最上位の紙幣が裏を向いている、記番号部分が汚れている、等）については、帯封紙幣ＤＢ９０２では管理しないものとする。
【００７１】
−払出処理−
図１１は払出処理における動作フローの一例である。ユーザは、例えば操作表示部４０を操作して出納処理を開始し（Ｓ２１）、処理メニューを選択する（Ｓ２２）。ここでは、払出処理についてのみ説明するが、他の処理（入金処理等）が選択された場合は（Ｓ２３でＮｏ）、その処理が実行される。払出処理が選択されると（Ｓ２３でＹｅｓ）、伝票を入力して（Ｓ２４）、操作画面の「完了」ボタンを押下する（Ｓ２５）。制御部８１０は、伝票から、払出処理の種類、払い出す金額、金種、束数等を認識する。そして制御部８１０は、図７に示すような払出処理ＴＢ８２２を参照して、当該払出処理の種類から、方向揃い情報を特定する（Ｓ２６）。
【００７２】
特定した方向揃い情報が「方向揃い」のときは、制御部８１０は、該当する金種のスタッカから帯封紙幣を払い出し、帯封紙幣識別部９０１によって、最上位紙幣の記番号を読み取る（Ｓ２７）。そして、図１０に示すような帯封紙幣ＤＢ９０２を参照して、当該帯封紙幣が「方向揃い」か「方向不揃い」かを特定する（Ｓ２８）。方向揃いであるときは（Ｓ２８でＹｅｓ）、当該帯封紙幣をそのまま払い出す（Ｓ２９）。このとき、帯封紙幣ＤＢ９０２から、当該帯封紙幣のデータを削除する。一方、「方向不揃い」であるときは（Ｓ２８でＮｏ）、払い出した帯封紙幣を一時退避させる。そして次の帯封紙幣を払い出し、帯封紙幣識別部９０１によって最上位紙幣の記番号を読み取る（Ｓ２７）。以降、同様の動作を行う。
【００７３】
一方、特定した方向揃い情報が「方向不揃い」のときは、制御部８１０は、該当する金種のスタッカから帯封紙幣を払い出し、そのまま装置外部へ出金する（Ｓ２９）。このとき、帯封紙幣ＤＢ９０２のデータを更新するために、帯封紙幣識別部９０１によって、最上位紙幣の記番号を読み取り、当該帯封紙幣のデータを削除する。
【００７４】
以上のように本実施形態によると、スタッカ２０１ａ〜２０１ｅに収納された各帯封紙幣について、帯封紙幣ＤＢ９０２に、最上位紙幣の記番号および方向揃い情報が記録されている。払い出し処理を行う場合において、当該払い出し情報の方向揃い情報が方向揃いであるとき、帯封紙幣ＤＢ９０２を参照して、方向揃い情報として方向揃いが記録された帯封紙幣が、装置外部へ払い出される。したがって、払い出し処理の方向揃い情報が方向揃いを示すとき、紙幣処理装置１０は、各紙幣の方向が揃っている帯封紙幣を外部に払い出すことができる。
【００７５】
なお、上述の実施形態では、最上位紙幣の記番号を用いて、帯封紙幣のデータを管理するものとしたが、帯封紙幣に係る他の固有情報を用いてもよい。例えば、紙幣処理装置１０において、帯封紙幣を生成する際、帯封紙に固有情報を、例えばバーコード印字するものとする。そして、帯封紙幣識別部９０１は、帯封紙のバーコードを固有情報として読み取るようにしてもよい。
【００７６】
（第３実施形態）
第１実施形態では、帯封紙幣収納部について、方向揃い情報すなわち「方向揃い」か「方向不揃い」かを設定するものとした。また、第２実施形態では、帯封紙幣収納部に収納された各帯封紙幣について、固有情報と対応付けて、方向揃い情報すなわち「方向揃い」から「方向不揃い」かを管理するものとした。
【００７７】
帯封紙幣収納部に収納されている帯封紙幣は、その中に他の装置で帯封されたものが含まれている可能性があり、このため、「方向揃い」を保証できない。一方、都度巻きされた帯封紙幣は、「方向揃い」である。そこで、本実施形態では、払い出し処理を実行する場合において、特定した方向揃い情報が「方向揃い」のときは、都度巻きで対応するものとする。また、特定した方向揃い情報が「方向不揃い」のときは、帯封紙幣収納部から払い出すものとする。
【００７８】
以上のように本実施形態によると、払い出し処理を行う場合において、当該払い出し情報の方向揃い情報が方向揃いであるとき、バラ紙幣から方向揃いの帯封紙幣を生成して、装置外部へ払い出す。したがって、払い出し処理の方向揃い情報が方向揃いを示すとき、紙幣処理装置１０は、各紙幣の方向が揃っている帯封紙幣を外部に払い出すことができる。しかも、本実施形態では、帯封紙幣収納部について方向揃い情報を設定する必要がなく、また、帯封紙幣収納部に収納された各帯封紙幣について、方向揃い情報を管理する必要がない。
【００７９】
＜他の構成例１＞
上述の実施形態では、紙幣の「方向」とは、紙幣の表裏および天地を含むものとしたが、例えば、紙幣の「方向」は紙幣の表裏のみを含むものとしてもよい。例えば、バラ紙幣処理部が、スイッチバック機構のみを備え、スパイラル機構を備えない構成であるときは、紙幣の表裏が揃った帯封紙幣と、それ以外の帯封紙幣とを区別して管理すればよい。
【００８０】
＜他の構成例２＞
上述の実施形態では、図７に示すような払出処理ＴＢ８２２を参照して、当該払出処理の種類から、方向揃い情報を特定するものとした。これに代えて、ユーザが、例えば操作表示部４０を介して、方向揃い情報を選択できるようにしてもかまわない。この場合の操作表示部４０は、操作入力部の一例である。あるいは、払出処理ＴＢ８２２を参照して方向揃い情報のデフォルト値を画面に表示し、ユーザが適宜変更できるようにしてもよい。
【００８１】
＜他の構成例３＞
上述の実施形態では、払出処理の種類から方向揃い情報を特定するものとした。これに代えて、顧客に応じて方向揃い情報を特定するようにしてもよい。この場合には例えば、顧客と方向揃い情報とを対応付けるテーブルを設けておけばよい。これにより、例えば、上得意顧客に対しては紙幣の方向が揃った帯封紙幣を出金する、といった対応が可能になる。
【００８２】
＜他の構成例４＞
上述の実施形態では、帯封紙幣を処理する紙幣処理装置１０を例にとって説明を行ったが、紙幣処理装置１０は、本開示における、帯封紙葉類を処理する紙葉類処理装置の一例である。すなわち、紙幣以外の、例えば小切手、商品券等についても、本開示と同様の処理を行うことができる。
【符号の説明】
【００８３】
１０  紙幣処理装置（紙葉類処理装置）
４０  操作表示部（操作入力部）
２０１ａ〜２０１ｅ  スタッカ（収納部）
８１０  制御部
８２０  記憶部
８２１  収納部テーブル（収納部情報）
８２２  払出処理テーブル（払出処理情報）
９０１  帯封紙幣識別部（識別部）
９０２  帯封紙幣データベース（帯封紙葉類データベース）
【図１】
2019169063.tif 000003
【図２】
2019169063.tif 000004
【図３】
2019169063.tif 000005
【図４】
2019169063.tif 000006
【図５】
2019169063.tif 000007
【図６】
2019169063.tif 000008
【図７】
2019169063.tif 000009
【図８】
2019169063.tif 000010
【図９】
2019169063.tif 000011
【図１０】
2019169063.tif 000012
【図１１】
2019169063.tif 000013